Podtech/llm-jp-corpus-v4-ja_patent huggingface dataset:
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
式(I)を有する化合物、またはその薬学的に許容可能な塩：
2018528261.tif 000001
式中：
Xは、−(CH2)n−であり、nは、1、2、3、4、5、6、7、および8からなる群より選択される整数であり；
R1は、H、C1-6直鎖アルキル、置換C1-6直鎖アルキル、C1-6分岐アルキル、および置換C1-6分岐アルキルからなる群より選択され；
R2は、アミノ酸、N-置換アミノ酸、および-C(=O)-O-(CR3R4)m-O-C(=O)-R10からなる群より選択され；
R2'は、H、C1-C6アルキル、および置換C1-C6アルキルからなる群より選択され；
各R3およびR4は独立して、H、C1-C6アルキル、置換C1-C6アルキル、アリール、置換アリール、-(CR3R4)m-NR5R6、または
2018528261.tif 000002
であり；
mは、1、2、3、4、5、6、7、および8からなる群より選択される整数であり；
R5およびR6は独立して、Hまたはアルキルであり；
R10は、アルキル、置換アルキル、シクロアルキル、置換シクロアルキル、単糖、アシル化単糖、アリール、置換アリール、ヘテロアリール、および置換ヘテロアリールからなる群より選択される。
【請求項２】
Xが-CH2-である、請求項1記載の化合物。
【請求項３】
R1が、メチル、エチル、およびイソプロピルからなる群より選択される、請求項1記載の化合物。
【請求項４】
R2が、-C(=O)-Y-(CR3R4)m-NR5R6、および-C(=O)-O-(CR3R4)m-O-C(=O)-R10からなる群より選択され；
式中、
Yは、−O−または結合であり；
mは、0、1、2、3、4、5、6、7、および8からなる群より選択される整数であり；
各R3およびR4は独立して、H、C1-C6アルキルもしくは置換C1-C6アルキル、アリールもしくは置換アリールであり；
R10は、アルキル、置換アルキル、シクロアルキル、置換シクロアルキル、アリール、置換アリール、ヘテロアリール、または置換ヘテロアリールであある、
請求項1記載の化合物。
【請求項５】
R2が、-C(=O)-Y-(CR3R4)m-NR5R6であり；
式中、
Yは結合であり；
mは1であり；
R5およびR6はそれぞれHである、
請求項4記載の化合物。
【請求項６】
R2がアミノ酸である、請求項1記載の化合物。
【請求項７】
R2がN-アシルアミノ酸である、請求項1記載の化合物。
【請求項８】
アミノ酸がトリプトファンである、請求項6または7記載の化合物。
【請求項９】
以下：
2018528261.tif 000003
からなる群より選択される、請求項1記載の化合物。
【請求項１０】
2018528261.tif 000004
である、請求項9記載の化合物。
【請求項１１】
R2が-C(=O)-O-(CR3R4)m-O-C(=O)-R10であり；
式中、
(i)  mは1であり；
R3はHであり；かつ
R4は、メチル、iPr、もしくはアリールであるか；
(ii) mは1であり；
R3およびR4はそれぞれHであるか；または
(iii)mは1であり；
R3およびR4はそれぞれメチルである、
請求項4記載の化合物。
【請求項１２】
以下：
2018528261.tif 000005
2018528261.tif 000006
2018528261.tif 000007
2018528261.tif 000008
からなる群より選択される、請求項11記載の化合物。
【請求項１３】
以下：
2018528261.tif 000009
からなる群より選択される、請求項12記載の化合物。
【請求項１４】
請求項1〜13のいずれか一項記載の化合物、またはその薬学的に許容可能な塩と、薬学的に許容可能な担体、希釈剤、または賦形剤とを含む、医薬組成物。
【請求項１５】
請求項1〜13のいずれか一項記載の化合物またはその薬学的に許容可能な塩と、薬学的に許容可能な担体、希釈剤、または賦形剤とを含む、対象におけるがんを治療するのに用いられる医薬組成物。
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
組成物のうちの重量％量において：
（ａ）約２．５％〜約１５％  エミューオイル；
（ｂ）約４％〜約２５％  ホホバ油；
（ｃ）約２５％〜約７５％の皮膚科学基剤；および
（ｄ）約１０％〜約４０％の金属もしくは半金属の酸化物、水酸化物もしくは炭酸塩
を含む皮膚軟化組成物であって、
前記皮膚科学基剤は少なくとも２種の皮膚軟化薬を含み、そのうちの１種は石油化学製皮膚軟化薬であり、他の１種は天然の皮膚軟化薬であり、前記石油化学製皮膚軟化薬は白色軟パラフィンであり、前記天然の皮膚軟化薬はシアバター、蜜蝋、ラノリンおよびラノリンベースの皮膚軟化薬から選択される、皮膚軟化組成物。
【請求項２】
前記皮膚科学基剤は、組成物のうちの重量％で、約２０％〜約３０％の間の白色軟パラフィンおよび約２０％〜約３０％の間の天然の皮膚軟化薬を含み、前記天然の皮膚軟化薬はシアバター、蜜蝋、ラノリンおよびラノリンベースの皮膚軟化薬から選択される、請求項１に記載の組成物。
【請求項３】
前記天然の皮膚軟化薬はラノリンである、請求項１に記載の組成物。
【請求項４】
前記金属もしくは半金属は、アルミニウム、亜鉛、鉛、鉄、バリウム、スズ、チタン、ケイ素、ベリリウム、マグネシウムおよびカルシウムからなる群より選択され得る、請求項１〜３のいずれか一項に記載の組成物。
【請求項５】
前記金属もしくは半金属の酸化物、水酸化物もしくは炭酸塩は、酸化アルミニウム、酸化スズ、酸化亜鉛、酸化鉛、酸化ベリリウム、酸化鉄、酸化マグネシウム、酸化カルシウム、二酸化チタン、二酸化ケイ素、水酸化アルミニウム、水酸化亜鉛、炭酸マグネシウム、炭酸カルシウム、炭酸アルミニウム、炭酸亜鉛、炭酸鉄、および炭酸バリウムからなる群より選択され得、前記金属もしくは半金属の酸化物、水酸化物もしくは炭酸塩は、酸化亜鉛、炭酸亜鉛、二酸化チタン、および酸化鉄（ＩＩＩ）からなる群より任意選択される、請求項１〜４のいずれか一項に記載の組成物。
【請求項６】
前記金属もしくは半金属の酸化物、水酸化物もしくは炭酸塩は、少なくとも部分的に、カラミンとして前記組成物中に存在し、前記組成物は、金属もしくは半金属の酸化物、水酸化物もしくは炭酸塩の重量％量を構成するカラミンの量および酸化亜鉛の量を任意で含む、請求項１〜５のいずれか一項に記載の組成物。
【請求項７】
前記組成物中の金属もしくは半金属の酸化物、水酸化物もしくは炭酸塩は、約５％〜約２０％の間のカラミンおよび約５％〜約２０％の間のさらなる金属もしくは半金属の酸化物、水酸化物もしくは炭酸塩を含む、請求項６に記載の組成物。
【請求項８】
前記カラミンは、酸化亜鉛および酸化鉄を含み、前記さらなる金属もしくは半金属の酸化物、水酸化物もしくは炭酸塩は、酸化亜鉛を任意で含む、請求項７に記載の組成物。
【請求項９】
少なくとも１種の保存剤をさらに含み、前記少なくとも１種の保存剤は、ユーカリ油およびピロクトン塩もしくは誘導体から任意選択される、請求項１〜８のいずれか一項に記載の組成物。
【請求項１０】
前記組成物のうちの重量％で、約１０％〜約１５％  ホホバ油、約５％〜約１０％  エミューオイル、約２％〜約５％  ユーカリ油、約１０％〜約１５％  酸化亜鉛、約１０％〜約１５％  カラミン、約１５％〜約３５％の白色軟パラフィンおよび約１５％〜約３５％のラノリンを含む、請求項１に記載の組成物。
【請求項１１】
皮膚状態の処置および／または防止に使用するための皮膚軟化組成物であって、前記皮膚状態は、乾燥肌、おむつかぶれ、炎症、紅斑、乾癬性の発疹、褥瘡、アレルギー性の発疹、ざ瘡、酒さ性ざ瘡、軽度の皮膚感染症、および皮膚刺激による発疹からなる群より選択され、
前記皮膚軟化組成物のうちの重量％量において、以下：
（ａ）約２．５％〜約１５％  エミューオイル；
（ｂ）約４％〜約２５％  ホホバ油；
（ｃ）約２５％〜約７５％の皮膚科学基剤；および
（ｄ）約１０％〜約４０％の金属もしくは半金属の酸化物、水酸化物もしくは炭酸塩、
を含み、
前記皮膚科学基剤は少なくとも２種の皮膚軟化薬を含み、そのうちの１種は石油化学製皮膚軟化薬であり、他の１種は天然の皮膚軟化薬であり、前記石油化学製皮膚軟化薬は白色軟パラフィンであり、前記天然の皮膚軟化薬はシアバター、蜜蝋、ラノリンおよびラノリンベースの皮膚軟化薬から選択される、皮膚軟化組成物。
【請求項１２】
前記皮膚軟化組成物のうちの重量％で、約１０％〜約１５％  ホホバ油、約５％〜約１０％  エミューオイル、約２％〜約５％  ユーカリ油、約１０％〜約１５％  酸化亜鉛、約１０％〜約１５％  カラミン、約１５％〜約３５％の白色軟パラフィンおよび約１５％〜約３５％のラノリンを含む、請求項１１に記載の皮膚軟化組成物の使用。
【請求項１３】
皮膚軟化組成物を製剤化するための方法であって、前記方法は、エミューオイル、ホホバ油、皮膚科学基剤および金属もしくは半金属の酸化物、水酸化物もしくは炭酸塩を合わせ、混合して、以下の組成物のうちの重量％量：
（ａ）約２．５％〜約１５％  エミューオイル；
（ｂ）約４％〜約２５％  ホホバ油；
（ｃ）約２５％〜約７５％  皮膚科学基剤；および
（ｄ）約１０％〜約４０％  金属もしくは半金属の酸化物、水酸化物もしくは炭酸塩
にある皮膚軟化組成物を形成する工程
を包含し、
前記皮膚科学基剤は少なくとも２種の皮膚軟化薬を含み、そのうちの１種は石油化学製皮膚軟化薬であり、他の１種は天然の皮膚軟化薬であり、前記石油化学製皮膚軟化薬は白色軟パラフィンであり、前記天然の皮膚軟化薬はシアバター、蜜蝋、ラノリンおよびラノリンベースの皮膚軟化薬から選択される、方法。
【請求項１４】
前記合わせ、混合する工程は、４０℃未満で行われる、請求項１３に記載の方法。
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
常染色体劣性の偽性低アルドステロン症１型（ＰＨＡ  １Ｂ型）の治療における使用のため、または機能欠失型変異ＥＮａＣのＮａ＋イオン輸送能力の修復における使用のための、医薬組成物であって、配列番号１：
2018528221.tif 000001
のアミノ酸配列からの少なくとも６つの連続するアミノ酸を含む環状ポリペプチドを含む、医薬組成物。
【請求項２】
配列番号１のうち、配列番号５：
2018528221.tif 000002
のアミノ酸配列を含むことを特徴とする、請求項１に記載の医薬組成物。
【請求項３】
配列番号１のアミノ酸配列からの、少なくとも７つの連続するアミノ酸で特徴付けられる、請求項１に記載の医薬組成物。
【請求項４】
配列番号１：
2018528221.tif 000003
のアミノ酸配列で特徴付けられる、請求項１から３のいずれか一項に記載の医薬組成物。
【請求項５】
環状のリングが、２つのアミノ酸システイン間のジスルフィド結合を含む、請求項１から４のいずれか一項に記載の医薬組成物。
【請求項６】
ポリペプチドが、配列番号２：
2018528221.tif 000004
を含む、請求項１から５のいずれか一項に記載の医薬組成物。
【請求項７】
環状のリングが、非天然のアミノ酸を含む、請求項１から４のいずれか一項に記載の医薬組成物。
【請求項８】
非天然のアミノ酸が、γ−アミノ酪酸（ＧＡＢＡ）である、請求項７に記載の医薬組成物。
【請求項９】
環状のリングが、配列番号１の少なくとも１０個、好ましくは、少なくとも１４個のアミノ酸を含む、請求項１から８のいずれか一項に記載の医薬組成物。
【請求項１０】
配列番号３：
2018528221.tif 000005
、または
配列番号４：
2018528221.tif 000006
である、請求項１から９のいずれか一項に記載の医薬組成物。
【請求項１１】
少なくとも１つの薬学的担体分子によって特徴付けられる、請求項１〜１０のいずれか一項に記載の医薬組成物。
【請求項１２】
常染色体劣性の偽性低アルドステロン症１型（ＰＨＡ  １Ｂ型）に罹患している非ヒト患者を治療する方法であって、配列番号１：
2018528221.tif 000007
のアミノ酸配列からの少なくとも６つの連続するアミノ酸を含む環状ポリペプチドの有効量を、非ヒト患者に投与することを含む、方法。
【請求項１３】
機能欠失型変異ＥＮａＣを有する非ヒト患者のＮａ＋輸送能力の、生理的なレベルへの修復のための方法であって、配列番号１：
2018528221.tif 000008
のアミノ酸配列からの少なくとも６つの連続するアミノ酸を含む環状ポリペプチドの有効量を、非ヒト患者に投与するステップを含む方法。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
３−［（３Ｓ，４Ｒ）−３−メチル−６−（７Ｈ−ピロロ［２，３−ｄ］ピリミジン−４−イル）−１，６−ジアザスピロ［３．４］オクタン−１−イル］−３−オキソプロパンニトリル又はその製薬上許容される塩を有効成分とする、円形脱毛症の治療剤又は予防剤。
【請求項２】
治療剤又は予防剤が外用剤である、請求項１に記載の治療剤又は予防剤。
【請求項３】
外用剤が軟膏である、請求項１又は２に記載の治療剤又は予防剤。
【請求項４】
軟膏における３−［（３Ｓ，４Ｒ）−３−メチル−６−（７Ｈ−ピロロ［２，３−ｄ］ピリミジン−４−イル）−１，６−ジアザスピロ［３．４］オクタン−１−イル］−３−オキソプロパンニトリルの濃度が０．３重量％である、請求項３に記載の治療剤又は予防剤。
【請求項５】
軟膏における３−［（３Ｓ，４Ｒ）−３−メチル−６−（７Ｈ−ピロロ［２，３−ｄ］ピリミジン−４−イル）−１，６−ジアザスピロ［３．４］オクタン−１−イル］−３−オキソプロパンニトリルの濃度が１重量％である、請求項３に記載の治療剤又は予防剤。
【請求項６】
軟膏における３−［（３Ｓ，４Ｒ）−３−メチル−６−（７Ｈ−ピロロ［２，３−ｄ］ピリミジン−４−イル）−１，６−ジアザスピロ［３．４］オクタン−１−イル］−３−オキソプロパンニトリルの濃度が３重量％である、請求項３に記載の治療剤又は予防剤。
【請求項７】
有効成分が１．７ｍｇ／ｃｍ２の分量で投与されるように用いられることを特徴とする、請求項１から６のいずれか１項に記載の治療剤又は予防剤。
【請求項８】
有効成分が１日２回の塗布にて投与されるように用いられることを特徴とする、請求項１から７のいずれか１項に記載の治療剤又は予防剤。
【請求項９】
有効成分が１２週間１日２回の塗布にて投与されるように用いられることを特徴とする、請求項８に記載の治療剤又は予防剤。
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
2Dビデオ画像を3D画像に変換するためにビデオストリームから抽出した2Dビデオ画像を処理する方法であって、
2D画像およびその2D画像に対応する深度情報とで構成される合成3D参照データベースを作成し、
入力ビデオフレームを合成3D参照データベースに投入し、
入力ビデオフレームの少なくとも一部を合成3D参照データベース内の2D画像の少なくとも一部とマッチングし、
その2D画像に対応する深度情報を選択し、その深度情報は深度勾配であり、
選択した深度情報をマッチングされた入力ビデオフレームの部分に適用して2D＋深度情報のフレームの部分を生成することから成る方法。
【請求項２】
前記部分はn×n個のピクセルで構成されるブロックであることを特徴とする請求項１に記載の方法。
【請求項３】
入力ビデオフレームの別の部分を合成3D参照データベース内の前記2D画像または別の2D画像の部分とマッチングすることから成ることを特徴とする請求項１または２に記載の方法。
【請求項４】
選択した深度情報を前記マッチングされた入力ビデオフレームに適用することは、マッチングされた2D画像の部分の深度情報を、対応するマッチングされた入力ビデオフレームの部分に適用することから成ることを特徴とする請求項１〜３のいずれかに記載の方法。
【請求項５】
選択した深度情報をマッチングされた入力ビデオフレームに適用することは、マッチングされた2D画像の部分の対応するピクセルを1個以上、マッチングされた入力ビデオフレームの部分の対応するピクセルにマッピングすることから成ることを特徴とする請求項４に記載の方法。
【請求項６】
入力ビデオフレームとマッチングする2D画像の候補をフレームのGISTおよびカラー情報を用いて特定することを特徴とする請求項１〜５のいずれかに記載の方法。
【請求項７】
深度情報を、以下の式に従いポアソン再構築を用いて再構築することからなる請求項１〜６のいずれかに記載の方法。
2018528733.tif 000001
ここでG = (Gx,Gy)は深度勾配、Dは深度情報、▽ GはGの発散である。
【請求項８】
入力ビデオフレーム内のオブジェクトを特定し、
特定したオブジェクトのオブジェクトマスクを決定し、
ポアソン方程式を修正することでオブジェクト境界での深度不連続性を許容し、決定したオブジェクトマスクおよびマッチングされた入力ビデオフレームを用いて深度情報を推定することから成ることを特徴とする請求項１〜７のいずれかに記載の方法。
【請求項９】
オブジェクト境界のピクセルを有効な隣接ピクセルとして使用することを許容しないことにより、ピクセルをオブジェクト境界から切り離し、オブジェクト境界に隣接するピクセルは画像境界のピクセルと同様に処理されるために、境界ピクセルに隣接する各ピクセルに対して、Aの中の対応する連結を0に設定し、それに応じて▽ Gの値を更新することから成るAx = bと式化され、ここでb = ▽ G、x = Dであり、Aにはポアソン方程式の係数が記憶されているポアソン再構築を用いて深度情報を推定することから成る請求項８に記載の方法。
【請求項１０】
ポアソン再構築は一次および高次導関数から成ることを特徴とする請求項７〜９のいずれかに記載の方法。
【請求項１１】
以下の式を用いて深度勾配を精細化させることを特徴とする請求項１〜１０のいずれかに記載の方法。
2018528733.tif 000002
【請求項１２】
連続領域で次の設定を行い、高次深度微分係数を強制的にゼロにすることを特徴とする請求項１〜１１のいずれかに記載の方法。
2018528733.tif 000003
【請求項１３】
2D＋深度情報フレームを用いて左側ステレオ画像および右側ステレオ画像を生成することから成ることを特徴とする請求項１〜１２のいずれかに記載の方法。
【請求項１４】
2Dビデオ画像を3D画像に変換するためにビデオストリームから抽出した2Dビデオ画像を処理するシステムであって、
2D画像およびその2D画像に対応する深度情報とで構成された、合成3D参照データベースと、
入力ビデオフレームを合成3D参照データベースに投入するように構成された探索モジュールと、
入力ビデオフレームの少なくとも一部と合成3D参照データベース内の2D画像の少なくとも一部とのマッチングを行うように構成されるマッチングモジュールであって、そのシステムは入力ビデオフレームの少なくとも一部を合成3D参照データベース内の2D画像の少なくとも一部とマッチングし、前記2D画像に対応する深度情報、その深度情報は深度勾配である、を選択するように構成されるマッチングモジュールと、
選択した深度情報をマッチングされた入力ビデオフレームの部分に適用して2D＋深度情報のフレームの部分を生成するように構成された生成モジュールとから成るシステム。
【請求項１５】
実行時に請求項１〜１３のいずれかに記載の方法を実行する命令でプログラミングされた、コンピュータで読み取り可能な媒体。
【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
腫瘍の腫瘍微小環境（TME）を改変するための遺伝子組換え免疫細胞を製造する方法であって、
T細胞の増殖の誘導、内在性もしくは養子移入されたNK細胞もしくはT細胞の生存維持および活性化の促進、ならびに／またはインターロイキン、インターフェロン、PD-1チェックポイント結合性タンパク質、HMGB1、MyD88、サイトカインもしくはケモカインの産生の誘導を行うタンパク質をコードする核酸を含む第１のベクターを免疫細胞に送達すること、ならびに
任意で前記免疫細胞を分化誘導すること
を含み、
前記免疫細胞が、マクロファージ、同種異系細胞、骨髄系細胞、単球、小膠細胞、T細胞、ナチュラルキラー細胞およびヒト単球からなる群から選択されること、ならびに
前記第１のベクターが、自殺遺伝子システムをコードする核酸を任意でさらに含むこと
を特徴とする方法。
【請求項２】
前記タンパク質が、TGFβRII、IL-1、IL-6、IL-7、IL-15、IL-2、IL-12、IL-18、IL-21、インターフェロンα、インターフェロンβ、インターフェロンγまたはPD-1チェックポイント結合性阻害物質である、請求項１に記載の方法。
【請求項３】
前記タンパク質がPD-1タンパク質の断片を含むこと、該PD-1タンパク質断片が、腫瘍細胞および／または腫瘍関連マクロファージによって発現されるPD-L1またはPD-L2と結合し、かつ該PD-1タンパク質断片とPD-L1またはPD-L2との結合が作動性シグナルを発生させないこと、ならびに該PD-L1タンパク質断片が、任意で配列番号７の62番目〜136番目のアミノ酸を含むことを特徴とする、請求項１または２に記載の方法。
【請求項４】
前記T細胞が、キメラ抗原受容体（CAR）またはT細胞受容体（Tcr）を発現するように遺伝子組換えされている、請求項１に記載の方法。
【請求項５】
Cas9エンドヌクレアーゼをコードする核酸を含む第２のベクターを前記免疫細胞に送達すること；および
前記免疫細胞中の少なくとも１つの標的遺伝子に相補的なCRISPRガイドRNAをコードする核酸を前記免疫細胞に送達すること
をさらに含み、
任意で、
第２のタンパク質の転写および翻訳を活性化するCas9-VP64融合タンパク質をコードする第４のベクターを前記免疫細胞に送達すること；ならびに
前記免疫細胞中の少なくとも１つの標的遺伝子に相補的なCRISPRガイドRNAを含む第５のベクターを前記免疫細胞に送達すること
を含み、
CRISPRガイドRNAをコードする前記核酸が、第２のベクターまたは第３のベクターに組み込まれていてもよいこと、
前記標的遺伝子が、PD-L1、TGF-β、IL-10、アルギナーゼ、HIF-1α、RAGE、CD206、IL-4、CCL22、CCL17、VEGF、EGF、WNT7βまたはPGEであること、および
前記第２のタンパク質が、IL-12p40、IL-15、IL-6、IL-1β、TNF-α、IFN-α/β/γ、IL-12、IL-18、IL-23またはGM-CSFであること
を特徴とする、請求項１〜４のいずれか１項に記載の方法。
【請求項６】
前記タンパク質をコードする核酸が、薬物によって誘導可能なプロモーターによって制御される、請求項１〜５のいずれか１項に記載の方法。
【請求項７】
請求項１〜６のいずれか１項に記載の方法によって作製される遺伝子組換え免疫細胞。
【請求項８】
医薬品として使用するための、請求項７に記載の遺伝子組換え免疫細胞。
【請求項９】
前記医薬品によって、対象における腫瘍微小環境での免疫応答の抑制が調節される、請求項８に記載の遺伝子組換え免疫細胞。
【請求項１０】
前記腫瘍微小環境が固形腫瘍に含まれ、該固形腫瘍が、任意で、乳癌、脳腫瘍、肺癌、肝臓癌、胃癌、脾臓癌、大腸癌、腎臓癌、膵臓癌、前立腺癌、子宮癌、皮膚癌、頭部癌、頸部癌、肉腫、神経芽腫および卵巣癌からなる群から選択される、請求項９に記載の遺伝子組換え免疫細胞。
【請求項１１】
別の細胞療法と組み合わせて投与され、任意で、該別の細胞療法がCAR T細胞療法である、請求項９または１０に記載の遺伝子組換え免疫細胞。
【請求項１２】
抗体、小分子、タモキシフェン、熱ショックタンパク質−ペプチド複合体もしくは腫瘍溶解性ポリオウイルス；またはアービタックス、ハーセプチン、ガンシクロビル、FK506および二量体化誘導化学物質から選択されるプロドラッグと組み合わせて投与され、任意で、前記抗体が、α−フェトプロテイン、癌胎児抗原、CA-125、MUC-1、上皮性腫瘍抗原、チロシナーゼ、メラノーマ関連抗原（MAGE）、HER2またはrasもしくはp53の異常生成物に特異的である、請求項８〜１１のいずれか１項に記載の遺伝子組換え免疫細胞。
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
誘導表面導波プローブ（Ｐ）であって、前記誘導表面導波プローブ（Ｐ）は、グラウンドの上に持ち上げられた帯電端子（ＴＲ）を備える、誘導表面導波プローブと、
前記誘導表面導波プローブ（Ｐ）に併置された、逆巻きトロイドらせんアンテナ（Ｔ）であって、前記逆巻きトロイドらせん（Ｔ）は、互いに間隔を置き、かつ前記誘導表面導波プローブ（Ｐ）の周囲に巻き付いたリング要素を備える、逆巻きトロイドらせんアンテナと、
少なくとも前記誘導表面導波プローブ（Ｐ）に印加される信号源（Ｓ１）と、
を備え、
前記誘導表面導波プローブ（Ｐ）及び前記逆巻きトロイドらせん（Ｔ）は、個別の垂直電界を与え、前記個別の垂直電界は、前記個別の垂直電界の位相及び振幅特性に基づいて放射パターンを形成する、電磁ハイブリッドフェーズドアレイシステム。
【請求項２】
前記誘導表面導波プローブ（Ｐ）は、前記グラウンドを含む損失性導電媒体の複素ブルースター入射角（θｉ，Ｂ）で入射する波面を合成する、結果として生じる少なくとも１つの電界を生成するように構成される、請求項１に記載の電磁ハイブリッドフェーズドアレイシステム。
【請求項３】
前記リング要素は、複数の閉じた、相互に接続されたリング要素を含む、請求項１に記載の電磁ハイブリッドフェーズドアレイシステム。
【請求項４】
前記逆巻きトロイドらせんアンテナ（Ｔ）は、前記グラウンドの上方に配置される、請求項１に記載の電磁ハイブリッドフェーズドアレイシステム。
【請求項５】
前記リング要素は、前記グラウンド中に配置された複数の半円リング要素（２１０３）を含む、請求項１に記載の電磁ハイブリッドフェーズドアレイシステム。
【請求項６】
前記放射パターンは、低放射角の垂直電界を含む、請求項１に記載の電磁ハイブリッドフェーズドアレイシステム。
【請求項７】
前記信号源（Ｓ１）は、３０ｋＨｚ〜３００ｋＨｚの範囲内の長波で動作する、請求項１に記載の電磁ハイブリッドフェーズドアレイシステム。
【請求項８】
少なくとも１つの追加の併置された誘導表面導波プローブ（Ｐ）及び逆巻きトロイドらせんアンテナ（Ｔ）を更に備える、請求項１に記載の電磁ハイブリッドフェーズドアレイシステム。
【請求項９】
前記信号源（Ｓ１）は、振幅変調信号を生成する、請求項１に記載の電磁ハイブリッドフェーズドアレイシステム。
【請求項１０】
前記信号源（Ｓ１）は、前記逆巻きトロイドらせんアンテナ（Ｔ）に印加される、請求項１に記載の電磁ハイブリッドフェーズドアレイシステム。
【請求項１１】
互いに間隔を置き、相互に接続された導電リング要素を備えた逆巻きトロイドらせん構造（Ｔ）を通して、第１の電流を伝導することと、
前記第１の電流の流れに応じて、第１の垂直電界を確立することと、
誘導表面導波プローブ（Ｐ）を通して、第２の電流を伝導することと、
前記第２の電流の流れに応じて、第２の垂直電界を確立することと、
前記第１の垂直電界及び前記第２の垂直電界の位相及び振幅特性に基づいて放射パターンを形成することと、
を含む、方法。
【請求項１２】
前記放射パターンは、低放射角の垂直電界を含む、請求項１１に記載の方法。
【請求項１３】
前記誘導表面導波プローブ（Ｐ）に信号源（Ｓ１）を印加することであって、前記信号源（Ｓ１）の印加により、前記第２の電流が生成される、ことを更に含む、請求項１１に記載の方法。
【請求項１４】
前記信号源（Ｓ１）は、振幅変調信号を生成する請求項１３に記載の方法。
【請求項１５】
前記信号源（Ｓ１）は、３０ｋＨｚ〜３００ｋＨｚの範囲内の長波で動作する、請求項１３に記載の方法。
【請求項１６】
前記逆巻きトロイドらせん構造（Ｔ）は、前記誘導表面導波プローブ（Ｐ）に併置される、請求項１３に記載の方法。
【請求項１７】
前記逆巻きトロイドらせん構造（Ｔ）は、地面の上に配置される請求項１３に記載の方法。
【請求項１８】
前記逆巻きトロイドらせん構造（Ｔ）は、地中に配置された複数の半円リング要素（２１０３）を含む請求項１３に記載の方法。
【請求項１９】
誘導表面導波プローブ（Ｐ）であって、前記誘導表面導波プローブ（Ｐ）は、グラウンドの上に持ち上げられた帯電端子（ＴＲ）を備える、誘導表面導波プローブと、
前記誘導表面導波プローブ（Ｐ）の側面に設けられた、逆巻きトロイドらせんアンテナ（Ｔ）であって、前記逆巻きトロイドらせん（Ｔ）は、互いに間隔を置いたリング要素を備える、逆巻きトロイドらせんアンテナと、
少なくとも前記誘導表面導波プローブ（Ｐ）に印加される信号源（Ｓ１）と、
を備え、
前記誘導表面導波プローブ（Ｐ）及び前記逆巻きトロイドらせん（Ｔ）は、個別の垂直電界を与え、前記個別の垂直電界は、前記個別の垂直電界の位相及び振幅特性に基づいて放射パターンを形成する、電磁ハイブリッドフェーズドアレイシステム。
【請求項２０】
前記信号源（Ｓ１）は、３０ｋＨｚ〜３００ｋＨｚの範囲内の長波で動作する、請求項１９に記載の電磁ハイブリッドフェーズドアレイシステム。
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
間葉系幹細胞（ＭＳＣ）を増殖させる方法において：
体の組織または臓器から単離した細胞を、アポトーシス誘導剤を含む増殖培地中で少なくとも３日間インキュベートすることによって、ＭＳＣが富化された細胞集団を得るステップを含むことを特徴とする方法。
【請求項２】
脂肪由来の幹細胞（ＡＳＣ）を増殖させる方法において：
（ａ）間質血管細胞群（ＳＶＦ）の細胞を脂肪吸引物から単離することと；
（ｂ）（ａ）で得られた前記単離細胞を、アポトーシス誘導剤を含む増殖培地中で少なくとも３日間インキュベートすることによって、ＡＳＣが富化された細胞集団を得ることと
を含むことを特徴とする方法。
【請求項３】
請求項１または２に記載の方法において、前記アポトーシス誘導剤は、Ｆａｓリガンド（ＦａｓＬ）、腫瘍壊死因子（ＴＮＦ）α、ＴＮＦ関連アポトーシス誘導リガンド（ＴＲＡＩＬ）、アポトーシスの腫瘍壊死因子様の弱いインデューサ（ＴＷＥＡＫ）、およびそれらの組合せからなる群から選択されることを特徴とする方法。
【請求項４】
請求項１乃至３の何れか１項に記載の方法において、前記増殖培地はさらに、増殖因子、ホルモン、サイトカイン、およびそれらのあらゆる組合せからなる群から選択される更なる活性剤を含むことを特徴とする方法。
【請求項５】
請求項１乃至４の何れか１項に記載の方法において、前記アポトーシス誘導剤との前記インキュベーションは、約３、５、７、１０、１４、１７、２０、または２３日間なされることを特徴とする方法。
【請求項６】
請求項５に記載の方法において、前記アポトーシス誘導剤との前記インキュベーションは、１４日間なされることを特徴とする方法。
【請求項７】
請求項１乃至６の何れか１項に記載の方法において、体の組織または臓器または脂肪吸引物から単離された後に、前記単離細胞は、アポトーシス誘導剤無しで、１、２、３、４、５、６、または７日間培養されてから、アポトーシス誘導剤とインキュベートされることを特徴とする方法。
【請求項８】
請求項１に記載の方法において、前記アポトーシス誘導剤はＦａｓＬであり、そしてＦａｓＬとのインキュベーションの前に、前記単離細胞は、ＴＮＦαとプレインキュベートされることを特徴とする方法。
【請求項９】
請求項８に記載の方法において、ＴＮＦαとの前記プレインキュベーションは、１乃
至４日間実行されることを特徴とする方法。
【請求項１０】
請求項１に記載の方法において、前記アポトーシス誘導剤はＦａｓＬであり、そしてＦａｓＬの濃度は、約０．１ｎｇ／ｍｌから約１００ｎｇ／ｍｌの範囲内にあることを特徴とする方法。
【請求項１１】
請求項１乃至１０の何れか１項に記載の方法において、前記アポトーシス誘導剤とのインキュベーションの後に、前記アポトーシス誘導剤は除去されて、前記細胞は分化することができることを特徴とする方法。
【請求項１２】
細胞培養培地およびアポトーシス誘導剤を含むことを特徴とする間葉系幹細胞増殖培地。
【請求項１３】
ａ．細胞増殖培地およびアポトーシス誘導剤を含む間葉系幹細胞増殖培地を含有する容器と；
ｂ．間葉系幹細胞をインビトロで増殖させるための、前記間葉系幹細胞増殖培地の使用説明書と
を含むことを特徴とする製品。
【請求項１４】
請求項１に記載の方法によって得られた細胞富化集団であって、前記アポトーシス誘導剤はＦａｓＬであり、前記ＦａｓＬは、ＣＤ７３高集団を増大させて、ＣＤ１０５（＋）細胞を減少させることを特徴とする細胞富化集団。
【請求項１５】
請求項１４に記載の細胞富化集団において、移植を必要とする患者への移植術に用いられることを特徴とする細胞富化集団。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
通路の内壁を撮像するためのイメージセンシングシステムを持つカテーテルであり、前記カテーテルは、前記通路内に置かれ、
前記カテーテルの周りに光出力を放射状に発生させる光源配列、及び前記内壁による反射の後、前記放射状の光出力を受信するイメージセンサを有する放射状イメージングシステムを有し、前記カテーテルは、当該カテーテルの長さに沿った前記通路内の既定の位置及び方位で前記通路内に位置決められるように構成される、前記カテーテルの周りの前記光出力の強度分布の包絡線形状又は前記カテーテルの周りの光伝達配列の光伝達関数が非円形であるように、前記光出力は、別々の放射状の方向に異なる強度を持つ及び／又は前記カテーテルは、別々の放射状の方向に対し、前記光出力の前記イメージセンサへの異なる伝達を生じさせる光伝達配列を有する、並びに前記カテーテルは、当該カテーテルの長さを横切る断面において、前記通路内の特定の既知の経路の位置及び方位を採用するような非円形の外形を持つ、
カテーテル。
【請求項２】
前記カテーテルの長さを横切る断面において、前記カテーテルの外形の曲率半径は、前記カテーテルの周りのある角度位置の方が、前記カテーテルの周りの反対側の角度位置に比べて大きい、請求項１に記載のカテーテル。
【請求項３】
前記カテーテルは、当該カテーテルの長さを横切る断面において、その外形に平坦な縁部を持ち、当該縁部において、前記カテーテルは前記通路の壁部に接している又は近接している、請求項２に記載のカテーテル。
【請求項４】
前記外形又は前記外形の角度方位は、前記カテーテルの長さに沿って変化している、請求項１乃至３の何れか一項に記載のカテーテル。
【請求項５】
前記カテーテルの曲げ特性は、当該カテーテルの長さに沿って変化している、請求項１乃至４の何れか一項に記載のカテーテル。
【請求項６】
特定の方向への曲げに対する前記カテーテルの剛性は、当該カテーテルの長さに沿って変化している、請求項５に記載のカテーテル。
【請求項７】
前記光出力の強度は、前記カテーテルが前記通路の壁部に最も近くにある場所で最小となる、請求項１乃至６の何れか一項に記載のカテーテル。
【請求項８】
前記光伝達配列は、減衰を与える電気ケーブル又は光ファイバを有する、請求項１乃至７の何れか一項に記載のカテーテル。
【請求項９】
前記光源配列は、前記カテーテルの内側にある光源、及び任意で前記光源の出力を視準するための視準器を有する、請求項１乃至８の何れか一項に記載のカテーテル。
【請求項１０】
前記光源配列は、
前記カテーテルの外側にある光源、
前記光源からの光出力を前記カテーテルの外側から前記カテーテルの内側に伝達する、及び前記光を前記カテーテルの細長い軸に平行であり、中心にある方向に放射するように構成される光ファイバ、
任意で、前記光ファイバからの前記光を視準するための視準器、並びに
前記カテーテルの長さの周りに概ね放射状に向けられた光のリングを形成するように、前記放射された光を向け直すための反射器
を有する、請求項１乃至８の何れか一項に記載のカテーテル。
【請求項１１】
前記反射器は、軸対称ではなく、それにより放射状の方向に対し非一様な光強度を作る、請求項１０に記載のカテーテル。
【請求項１２】
前記内壁による反射の後、前記放射状の光を前記イメージセンサに向け直すための第２の反射器をさらに有する、請求項９、１０又は１１に記載のカテーテル。
【請求項１３】
前記第２の反射器は、軸対称ではなく、それにより放射状の方向に対し軸対称ではない前記センサの視野を作る、請求項１２に記載のカテーテル。
【請求項１４】
上気道における閉塞の存在及び位置を決定するのに使用される請求項１乃至１３の何れか一項に記載のカテーテルにおいて、前記カテーテルの長さに沿って複数の放射状イメージングシステムを有する、カテーテル。
【手続補正書】
【提出日】令和1年7月5日(2019.7.5)
【手続補正１】
【補正対象書類名】明細書
【補正対象項目名】００４６
【補正方法】変更
【補正の内容】
【００４６】
歯科用物品の前駆体を焼結するために、４００℃超〜７５０℃の温度に歯科用物品の前駆体を加熱することによって、接合剤を初期段階で取り除くことができる。本発明の実施態様の一部を以下の項目１−１７に記載する。
項目１
（ｉ）焼結粉末の層を提供するステップであって、前記層は厚さを有する、ステップと、
（ｉｉ）流体の凝固可能なバインダーを提供して、本質的に前記粉末層の前記厚さを有し、かつ本質的に前記粉末層と同じ高さに配置された周囲固着ゾーンを形成するステップであって、前記固着ゾーンが前記粉末層の一部分を取り囲む、ステップと、
（ｉｉｉ）複数の前記固着ゾーンが合わさって、層を横切って延びる凝集した中空のスリーブを形成するように、１つの層の各固着ゾーンが隣接する層の固着ゾーンと接触した状態で、ステップ（ｉ）及びステップ（ｉｉ）を繰り返すステップであって、対応する複数の粉末部分が組み合わさって、前記スリーブ内に捕捉された粉末の一続きのバッチを形成する、ステップと、を含む、歯科用物品の製造方法。
項目２
前記バインダーが、ワックス又は脂肪、特にココナツ脂肪を含む、項目１に記載の方法。
項目３
凝固状態から流体状態へ変換させるために前記バインダーを加熱するステップを更に含む、項目２に記載の方法。
項目４
前記バインダーが、硬化性樹脂、特に硬化性エラストマーを含む、項目１に記載の方法。
項目５
前記流体状態から前記凝固状態へ変換させるために、前記バインダーに光及び／又は熱を照射するステップを更に含む、項目４に記載の方法。
項目６
前記粉末層の周囲部分に前記バインダーをしみ込ませることによって前記固着ゾーンを形成するように、前記粉末層上に付着させることによって前記バインダーが提供される、項目１〜５のいずれか一項に記載の方法。
項目７
前記バインダーを使用してベース層及びカバー層を形成するステップを更に含み、前記ベース層、前記カバー層、及び前記スリーブが合わさって、前記粉末のバッチを内部に封止する閉じたシェルを形成する、項目１〜６のいずれか一項に記載の方法。
項目８
捕捉された前記粉末のバッチをバッグに入れるステップを更に含む、項目１〜７のいずれか一項に記載の方法。
項目９
前記粉末のバッチを、等方圧プレス内でプレス加工することによって圧縮し、それにより前記歯科用物品の前駆体を形成するステップを更に含む、項目１〜８のいずれか一項に記載の方法。
項目１０
前記歯科用物品の前駆体を焼き、それにより前記バインダーを取り除くステップを更に含む、項目９に記載の方法。
項目１１
前記焼結粉末が、焼結により歯科用セラミック材料又は歯科用ガラスセラミック材料を得るための出発材料を形成する、項目１〜１０のいずれか一項に記載の方法。
項目１２
前記焼結粉末は、接合剤で被覆された粉末粒子から形成され、前記接合剤が、前記バインダーよりも高い温度安定性を有する、項目１１に記載の方法。
項目１３
前記粉末層に着色物質を提供するステップを更に含む、項目１〜１２のいずれか一項に記載の方法。
項目１４
前記固着ゾーンによって取り囲まれた前記部分の決定されたサブ部分に前記着色物質を提供するステップを更に含む、項目１３に記載の方法。
項目１５
前記固着ゾーンによって取り囲まれた前記部分の決定されたサブ部分に、１つ以上の更なる着色物質を提供するステップを更に含み、前記着色物質は、異なる色を呈するように、又は異なる色に変換するように構成される、項目１３又は１４に記載の方法。
項目１６
前記粉末バッチの外面に、前記粉末バッチの向きを示す構造部を提供するステップを更に含む、項目１〜１５のいずれか一項に記載の方法。
項目１７
マトリックス材料に埋め込まれた焼結粉末から形成されたシェルに捕捉されている焼結粉末の粉末バッチであって、前記粉末バッチが、ばらばらの粉末粒子から形成され、前記マトリックス材料が、バインダー、特にワックス又は脂肪から作られている、焼結粉末の粉末バッチ。
【手続補正２】
【補正対象書類名】特許請求の範囲
【補正対象項目名】全文
【補正方法】変更
【補正の内容】
【特許請求の範囲】
【請求項１】
（ｉ）焼結粉末の層を提供するステップであって、前記層は厚さを有する、ステップと、
（ｉｉ）流体の凝固可能なバインダーを提供して、本質的に前記粉末層の前記厚さを有し、かつ本質的に前記粉末層と同じ高さに配置された周囲固着ゾーンを形成するステップであって、前記固着ゾーンが前記粉末層の一部分を取り囲む、ステップと、
（ｉｉｉ）複数の前記固着ゾーンが合わさって、層を横切って延びる凝集した中空のスリーブを形成するように、１つの層の各固着ゾーンが隣接する層の固着ゾーンと接触した状態で、ステップ（ｉ）及びステップ（ｉｉ）を繰り返すステップであって、対応する複数の粉末部分が組み合わさって、前記スリーブ内に捕捉された粉末の一続きのバッチを形成する、ステップと、を含む、歯科用物品の製造方法。
【請求項２】
前記バインダーが、ワックス又は脂肪、特にココナツ脂肪を含み、凝固状態から流体状態へ変換させるために前記バインダーを加熱するステップを更に含む、請求項１に記載の方法。
【請求項３】
前記バインダーが、硬化性樹脂、特に硬化性エラストマーを含み、前記流体状態から前記凝固状態へ変換させるために、前記バインダーに光及び／又は熱を照射するステップを更に含む、請求項１に記載の方法。
【請求項４】
前記粉末層の周囲部分に前記バインダーをしみ込ませることによって前記固着ゾーンを形成するように、前記粉末層上に付着させることによって前記バインダーが提供される、請求項１〜３のいずれか一項に記載の方法。
【請求項５】
前記バインダーを使用してベース層及びカバー層を形成するステップを更に含み、前記ベース層、前記カバー層、及び前記スリーブが合わさって、前記粉末のバッチを内部に封止する閉じたシェルを形成する、請求項１〜４のいずれか一項に記載の方法。
【請求項６】
捕捉された前記粉末のバッチをバッグに入れるステップを更に含む、請求項１〜５のいずれか一項に記載の方法。
【請求項７】
前記粉末のバッチを、等方圧プレス内でプレス加工することによって圧縮し、それにより前記歯科用物品の前駆体を形成するステップ、及び前記歯科用物品の前駆体を焼き、それにより前記バインダーを取り除くステップを更に含む、請求項１〜６のいずれか一項に記載の方法。
【請求項８】
前記焼結粉末が、焼結により歯科用セラミック材料又は歯科用ガラスセラミック材料を得るための出発材料を形成し、前記焼結粉末は、接合剤で被覆された粉末粒子から形成され、前記接合剤が、前記バインダーよりも高い温度安定性を有する、請求項１〜７のいずれか一項に記載の方法。
【請求項９】
前記粉末層に着色物質を提供するステップを更に含み、前記固着ゾーンによって取り囲まれた前記部分の決定されたサブ部分に前記着色物質を提供するステップを更に含む、請求項１〜８のいずれか一項に記載の方法。
【請求項１０】
前記固着ゾーンによって取り囲まれた前記部分の決定されたサブ部分に、１つ以上の更なる着色物質を提供するステップを更に含み、前記着色物質は、異なる色を呈するように、又は異なる色に変換するように構成される、請求項９に記載の方法。
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
スルーホールと、前記スルーホールと整列したコレット凹所と、前記スルーホールからずれたロッド受けスロットとを画成するロッド受け部材と、
前記ロッド受け部材のコレット凹所に挿入可能で、開口と、前記開口と整列したプラグ凹所と、壁部とを画成するコレットであって、前記壁部及び前記ロッド受けスロットが、そこに脊椎ロッドを選択的に固定するよう構成されるロッド据え付け領域を共に画成し、前記コレットが、ロッド据え付け領域によって画成される第１直径と、ロッド据え付け領域によって画成される第２の、より大きな直径との間で変移可能である、コレットと、
前記コレットのプラグ凹所内に挿入可能で、プラグが外れているとき、前記コレットが第１直径を成し、前記プラグが挿入されているとき、前記コレットが第２直径を成すように、第１及び第２直径間でコレットを変移するよう構成されるプラグと、
ヘッド部と、前記ロッド受け部材のスルーホール及び前記コレットの開口の中に挿入可能なねじ部とを含むボーンスクリューと
を備える脊椎安定化装置。
【請求項２】
前記ロッド受けスロットが定める軸が、前記スルーホールが定める軸に対して横方向である、請求項１に記載の脊椎安定化装置。
【請求項３】
前記ボーンスクリューのねじ部が、前記ロッド受け部材のスルーホールを画成する内面を係合するよう構成される、請求項１に記載の脊椎安定化装置。
【請求項４】
前記ボーンスクリューのヘッド部が、前記ボーンスクリューがそこに固定されるように、前記ロッド受け部材のスルーホールを画成する内面を変形させるよう構成される、請求項１に記載の脊椎安定化装置。
【請求項５】
前記コレットが鍵形体を含み、前記プラグが対応する鍵形体を含み、それにより前記コレット及び前記プラグが整列する、請求項１に記載の脊椎安定化装置。
【請求項６】
前記コレットが、前記ボーンスクリューのヘッド部を係合し、前記コレットに対しその近位への平行移動を抑制するよう構成される、その内面に配される保持形体を含む、請求項１に記載の脊椎安定化装置。
【請求項７】
前記ボーンスクリューが、平坦な遠位先端をさらに含む、請求項１に記載の脊椎安定化装置。
【請求項８】
前記コレットが、第１及び第２直径間の変移を容易にするよう構成される、その一部に沿った円周切り欠きを含む、請求項１に記載の脊椎安定化装置。
【請求項９】
前記プラグ及び前記コレットのプラグ凹所が、第２直径において、前記プラグの上面が前記コレットの上面と面一となるように構成される、請求項１に記載の脊椎安定化装置。
【請求項１０】
前記ロッド受け部材の遠位面に配され、骨を貫通するように適合させたボーンスパイクをさらに含む、請求項１に記載の脊椎安定化装置。
【請求項１１】
前記ロッド受け部材の遠位面の少なくとも一部が、アーチ形である、請求項１に記載の脊椎安定化装置。
【請求項１２】
前記ロッド受け部材、前記コレット、又は前記プラグのうち少なくとも１つが、少なくとも１つの丸みを帯びた縁を含む、請求項１に記載の脊椎安定化装置。
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
処理システムを用いたインプラント再置換のために患者固有器械のジグの少なくとも１つのモデルを作成する方法であって、
インプラント再置換を必要とする骨の少なくとも部分及び前記骨に埋植されたインプラントの少なくとも１つの画像を取得することであって、前記少なくとも１つの画像が患者固有である、画像を取得することと、
前記骨の前記少なくとも１つの画像から前記骨上で少なくとも１つの基準固定面を識別することであって、前記基準固定面が、少なくとも１つのガイド基準を受け入れるように構成される、基準固定面を識別することと、
前記埋植されたインプラント上のインプラント当接面を特定することと、
少なくとも前記識別された基準固定面及び前記特定されたインプラント当接面を用いて仮想の基準ジグモデルを生成し出力することであって、前記基準ジグモデルが、
前記特定されたインプラント当接面と相補的に接続するために前記特定されたインプラント当接面に対応する少なくとも１つの接触面と、
前記基準固定面における前記少なくとも１つのガイド基準の植え付けを案内するように構成された少なくとも１つのガイド境界部分と、
前記少なくとも１つの接触面と前記少なくとも１つのガイド境界部分との間の患者固有の形状部であって、前記患者固有の形状部が、前記少なくとも１つの接触面が前記特定されたインプラント当接面と相補的に接続されたとき、前記少なくとも１つの基準固定面における前記少なくとも１つのガイド基準の植え付けの際、前記少なくとも１つの基準固定面に対して前記少なくとも１つのガイド境界部分を位置付け及び／又は配向するように適合される、患者固有の形状部と、
を含む、仮想の基準ジグモデルを生成し出力することと、
を含む、方法。